(57)【特許請求の範囲】
【請求項１】
ビデオコンテンツの生来のアスペクト比を決定すること（４０４）と、
ビデオコンテンツの生来のアスペクト比に少なくとも部分的に基づいて複数の視聴フォーマットから最適化された視聴フォーマットを選択すること（４０６）と、
ビデオコンテンツを最適化された視聴フォーマットで表示すること（４０８）と、を含み、
ビデオコンテンツがアナモルフィックビデオデータからなりビデオコンテンツの生来のアスペクト比が１．６６：１から１．８５：１の範囲内であれば、それが表示パネル全体を満たすまでビデオコンテンツが一つの軸に沿って引き延ばされるフル視聴モードが最適化された視聴モードとして選択され、
ビデオコンテンツの生来のアスペクト比が４：３であれば、ビデオコンテンツのエリアを拡大するようにビデオコンテンツが二つの軸に沿って引き延ばされるズーム視聴モードが最適化された視聴モードとして自動的に選択され、
ビデオコンテンツがアナモルフィックビデオデータからなりビデオコンテンツの生来のアスペクト比が２．３５：１であれば、ビデオコンテンツのエリアを拡大するようにビデオコンテンツが二つの軸に沿って引き延ばされるズーム視聴モードが最適化された視聴モードとして選択される、
ビデオコンテンツを表示する方法（４００）。
【請求項２】
複数の視聴フォーマットは、ビデオコンテンツがその生来のアスペクト比で表示されるノーマル視聴フォーマットを含む、請求項１記載の方法（４００）。
【請求項３】
複数の視聴フォーマットは、それが表示パネル全体を満たすまでビデオコンテンツが一つの軸に沿って引き延ばされるフル視聴フォーマットを含む、請求項１記載の方法（４００）。
【請求項４】
複数の視聴フォーマットは、ビデオコンテンツのエリアを拡大するようにビデオコンテンツが二つの軸に沿って引き延ばされるズーム視聴フォーマットを含む、請求項１記載の方法（４００）。
【請求項５】
もしビデオコンテンツがノンアナモルフィックビデオデータからなりビデオコンテンツの生来のアスペクト比が１．６６：１から２．３５：１の範囲内であれば、ビデオコンテンツのエリアを拡大するようにビデオコンテンツが二つの軸に沿って引き延ばされるズーム視聴モードが最適化された視聴モードとして選択される、請求項１記載の方法（４００）。
【請求項６】
生来のアスペクト比以外のビデオコンテンツの特性に少なくとも部分的に基づいて最適化された視聴フォーマットを選択することを含む、請求項１記載の方法（４００）。
【請求項７】
生来のアスペクト比以外のビデオコンテンツの特性は、ビデオコンテンツがアモルフィックフォーマットであるかどうかである、請求項６記載の方法（４００）。
【請求項８】
生来のアスペクト比以外のビデオコンテンツの特性は、ビデオコンテンツがノンアモルフィックフォーマットであるかどうかである、請求項６記載の方法（４００）。
【請求項９】
ビデオコンテンツの生来のアスペクト比を決定することは、ビデオコンテンツを含んだ媒体から生来のアスペクト比を読み出すことを含む、請求項１記載の方法（４００）。
【請求項１０】
ビデオコンテンツの生来のアスペクト比を決定することは、ビデオコンテンツと関連付けられた情報ファイルから生来のアスペクト比を読み出すことを含む、請求項１記載の方法（４００）。
【請求項１１】
ビデオデータのソース（２０２）と、
ビデオデータの生来のアスペクト比を決定するため、かつビデオコンテンツの生来のアスペクト比に少なくとも部分的に基づいて複数の視聴フォーマットから最適化された視聴フォーマットを選択するために、ビデオデータのソースからビデオデータを読み出すように適応されたプロセッサ（２００）と、
最適化された視聴フォーマットでプロセッサ（２００）によって提供されたビデオデータを表示するように適応された表示パネル（２１０）と、
を含み、
もしビデオコンテンツがアナモルフィックビデオデータからなりビデオコンテンツの生来のアスペクト比が１．６６：１から１．８５：１の範囲内であれば、それが表示パネル全体を満たすまでビデオコンテンツが一つの軸に沿って引き延ばされるフル視聴モードが最適化された視聴モードとして選択され、
もしビデオコンテンツの生来のアスペクト比が４：３であれば、またはもしビデオコンテンツがアナモルフィックビデオデータからなりビデオコンテンツの生来のアスペクト比が２．３５：１であれば、ビデオコンテンツのエリアを拡大するようにビデオコンテンツが二つの軸に沿って引き延ばされるズーム視聴モードが最適化された視聴モードとして選択される、
ビデオシステム（２００）。
【請求項１２】
複数の視聴フォーマットは、
ビデオコンテンツがその生来のアスペクト比で表示されるノーマル視聴フォーマットと、
それが表示パネル全体を満たすまでビデオコンテンツが一つの軸に沿って引き延ばされるフル視聴フォーマットと、
ビデオコンテンツのエリアを拡大するようにビデオコンテンツが二つの軸に沿って引き延ばされるズーム視聴フォーマットを含む、
請求項１１記載のビデオシステム（２００）。
【請求項１３】
もしビデオコンテンツがノンアナモルフィックビデオデータからなりビデオコンテンツの生来のアスペクト比が１．６６：１から２．３５：１の範囲内であれば、ビデオコンテンツのエリアを拡大するようにビデオコンテンツが二つの軸に沿って引き延ばされるズーム視聴モードが最適化された視聴モードとして選択される、
請求項１１記載のビデオシステム（２００）。
【請求項１４】
生来のアスペクト比以外のビデオコンテンツの特性に少なくとも部分的に基づいて最適化された視聴フォーマットが選択される、請求項１１記載のビデオシステム（２００）。
【請求項１５】
生来のアスペクト比以外のビデオコンテンツの特性は、ビデオコンテンツがアモルフィックフォーマットまたはノンアモルフィックフォーマットであるかどうかである、請求項１４記載のビデオシステム（２００）。
【請求項１６】
プロセッサは、ビデオコンテンツを含んだ媒体から生来のアスペクト比を読み出すように適応されている、請求項１１記載のビデオシステム（２００）。
【請求項１７】
シャーシ（１０８）と、
シャーシ（１０８）によって支持されたエンジン（１０２）と、
エンジン（１０２）によって駆動されるように適応されたパワートレイン（１０４）と、
ビデオデータのソース（２０２）と、
ビデオデータの生来のアスペクト比を決定するため、かつビデオコンテンツの生来のアスペクト比に少なくとも部分的に基づいて複数の視聴フォーマットから最適化された視聴フォーマットを選択するために、ビデオデータのソースからビデオデータを読み出すように適応されたプロセッサ（２００）と、
最適化された視聴フォーマットでプロセッサ（２００）によって提供されたビデオデータを表示するように適応された表示パネル（２１０）と、
を含む娯楽システム（１１２）と、
を含み、
もしビデオコンテンツがアナモルフィックビデオデータからなりビデオコンテンツの生来のアスペクト比が１．６６：１から１．８５：１の範囲内であれば、それが表示パネル全体を満たすまでビデオコンテンツが一つの軸に沿って引き延ばされるフル視聴モードが最適化された視聴モードとして選択され
もしビデオコンテンツの生来のアスペクト比が４：３であれば、またはもしビデオコンテンツがアナモルフィックビデオデータからなりビデオコンテンツの生来のアスペクト比が２．３５：１であれば、ビデオコンテンツのエリアを拡大するようにビデオコンテンツが二つの軸に沿って引き延ばされるズーム視聴モードが最適化された視聴モードとして選択される、
自動車化された車輌（１００）。
【発明の詳細な説明】
【技術分野】
【０００１】
本発明は全体的にビデオシステムに関する。特に、本発明は、ビデオデータの生来のアスペクト比に少なくとも部分的に基づいたビデオデータの表示をフォーマットするシステムと方法に関する。
【背景技術】
【０００２】
このセクションは、下に記載されおよび／または請求される本発明の様々な側面に関連し得る技術の様々な側面を読者に紹介することを意図されている。議論は、本発明の様々な側面のより良い理解を容易にするための背景情報を読者に提供するのに有益であると信じる。従って、これらの言明は従来技術の認定としてではなくこの視点で読まれるべきであることが理解されるべきである。
【０００３】
既存のビデオシステムでは、ビデオコンテンツは幅広い種類のアスペクト比（視聴可能な表示エリアの長さの視聴可能な表示エリアの高さに対する比）で提供され得る。しかも、ビデオコンテンツについての標準的なアスペクト比は存在しない。単にいくつかの例を挙げると、人気のあるアスペクト比には、１．３３：１（４：３）、１．６６：１（１５：９）、１．７８：１（１６：９）、１．８５：１および２．３５：１が含まれる。
【０００４】
大半の表示システムは、固定されたアスペクト比をもった表示デバイスを有する。これは、もしビデオコンテンツの生来のアスペクト比が表示デバイスのアスペクト比とは異なっていれば、視聴者には表示された画像が歪んで見え得ることを意味する。別の潜在的問題は、異なるアスペクト比を有する表示された画像の上下または横（またはその両方）における「黒いバー」（ビデオコンテンツが存在しないエリア）の表示である。これは、より小さなビデオ表示に結果としてなり、それは視聴者に不満を引き起こすことができる。いくつかの既知のシステムは、「ズーム」特徴を有し、それは異なるアスペクト比を有するソースからのビデオコンテンツの表示により良く適合するように表示されたビデオ上で調節を行う。しかしながら、現在利用可能な多数のアスペクト比は、少なくともいくつかのアスペクト比についてはそのような「ズーム」特徴の使用を面倒で効果的でないものにしてしまい得る。しかも、ユーザは、望ましい設定を見つけるのに試行錯誤によっていくつかの表示オプション中から選択することを強いられ得る。表示デバイスに対して異なる生来のアスペクト比を有するビデオデータをフォーマットするための改善されたシステムと方法が望ましい。
【発明の概要】
【０００５】
ビデオコンテンツを表示するシステムと方法が提供される。本発明の例示的実施形態に従った方法では、ビデオコンテンツの生来のアスペクト比が決定され、ビデオコンテンツの生来のアスペクト比に少なくとも部分的に基づいて複数の視聴フォーマットから最適化された視聴フォーマットが選択される。ビデオコンテンツは最適化された視聴フォーマットで表示される。
【０００６】
添付された図面と共に発明の一実施形態の以下の記載を参照することによって、本発明の上述したものおよびその他の特徴と利点とそれらを達成するやり方が明白になり、より良く理解されるであろう。
【０００７】
いくつかの図面を通して対応する参照符号は対応する部分を示す。ここに提示された例示は発明の好ましい実施形態を一つの形で描いているが、そのような例示は発明の範囲をいかなるやり方でも限定するものと理解されるべきではない。
【図面の簡単な説明】
【０００８】
【図１】図１は、本発明の例示的実施形態に従った自動車化された車輌のブロック図である。
【図２】図２は、本発明の例示的実施形態に従った図１に示された車輌のビデオサブシステムの図である。
【図３】図３は、本発明の例示的実施形態に従った、どのように最適化された視聴フォーマットが選択されるかのいくつかの例を示した図である。
【図４】図４は、本発明の例示的実施形態に従った方法のプロセスフロー図である。
【発明を実施するための形態】
【０００９】
本発明の一つ以上の特定の実施形態が以下に記載される。それらの実施形態の簡潔な記載を提供する努力として、実際の実装の全ての特徴を明細書には記載しない。あらゆるそのような実際の実装の開発においては、あらゆる工学または設計プロジェクトにおいてのように、一つの実装から別のもので変動し得るシステム関連およびビジネス関連の制約の遵守のような開発者の特定のゴールを達成するために数々の実装に特有の決定が行われなければならないことが認識されるべきである。しかも、そのような開発努力は複雑で時間を要するかもしれないが、にも拘わらずそれはこの開示の恩恵を得た当業者にとっては設計、製作および製造の日常的な引き受けであろうことが認識されるべきである。
【００１０】
図１は、本発明の例示的実施形態に従った自動車化された車輌のブロック図である。自動車化された車輌は全体的に参照番号１００で表されている。例示的な自動車化された車輌１００は、エンジン１０２と、パワートレイン１０４と、数々の車輌システム（いくつかの例を挙げると、例えば、エンジン、パワートレイン、暖房換気空調（ＨＶＡＣ）システム）を制御するように適応され得る複数の電子制御システム１０６と、シャーシ１０８からなる。シャーシ１０８は、パワートレイン１０４を駆動するように適応されたエンジン１０２を支持するように適応されている。これもまた例示的な自動車化された車輌１００に含まれるのは、自動車化された車輌１００の占有者にオーディオ／ビジュアルな娯楽やコンピューターネットワーキング能力等を提供し得る娯楽システムである。娯楽システム１１０は、その動作がより詳細に以下で説明されるビデオサブシステム１１２からなる。特に、ビデオサブシステム１１２は、ビデオデータの生来のアスペクト比に関係なくソース入力から読み出されたビデオデータのための最適化された視聴モードを選択するように適応されている。
【００１１】
図２は、本発明の例示的実施形態に従った図１に示された車輌１００のビデオサブシステム１１２のブロック図である。ビデオサブシステム１１２は、ビデオサブシステム１１２の全体的動作を制御するように適応されたプロセッサまたはマイクロコントローラ２００からなる。プロセッサ２００は、ディスクドライブ、メモリー等のような有形の機械読み取り可能な媒体から命令および／またはデータを読み出すように適応されていても良い。命令は、プロセッサ２００が本発明の例示的実施形態に従った方法を行うことを可能としても良い。
【００１２】
プロセッサ２００は、ＤＶＤ媒体２０４をビデオ情報のソースとして含んでも良いＤＶＤデッキ２０２に動作的に接続されている。ビデオデータの一つ以上のファイルを格納することに加えて、ＤＶＤ媒体２０４は.ifoファイル等のような情報ファイル２０６を追加的に格納しても良い。情報ファイル２０６は、ＤＶＤ媒体２０４上のどこで異なるビデオ情報のチャプターが始まるか、どこに或るオーディオトラックが位置しているか等についての情報を含んでも良い。加えて、情報ファイル２０６は、ＤＶＤ媒体２０４上に格納されたビデオ情報の生来のアスペクト比、ビデオデータがアナモルフィックフォーマットであるかどうか、ビデオデータがノンアナモルフィックフォーマットであるかどうか等のようなその他の情報を格納しても良い。
【００１３】
ビデオサブシステム１１２は、ユーザ制御パネル２０８を含む。図２に示されるように、ユーザ制御パネル２０８は、メニュー、セットアップ、早送り、巻き戻し、休止、再生等のようなコントロールからなっても良い。ビデオサブシステム１１２のユーザは、ビデオサブシステム１１２の動作を制御するのに制御パネル２０８上のコントロールを使っても良い。
【００１４】
本発明の例示的実施形態では、プロセッサ２００は、ビデオ情報の最適化された視聴フォーマットを選択してそれが表示パネル２１０上に実効的に表示されるようにするよう適応されている。図２に描かれた例示的実施形態では、表示パネル２１０は１６：９の固定されたアスペクト比を有する。プロセッサ２００は、表示パネル２１０上に表示された画像を最適化するのに再生されているビデオデータについて得られたアスペクト比情報を使用する。特に、本発明の例示的実施形態は、表示されているビデオ情報の生来のアスペクト比に関わりなく、画像の歪みを最小化しながら画像を表示するための表示パネル２１０の最大スクリーンエリアを使うことのような設計的考慮に基づいて最適化された視聴フォーマットを選択する。本発明の例示的実施形態に従ってどのように最適化された視聴フォーマットが選択されるかの特定の例が図３に描かれている。
【００１５】
図３は、本発明の例示的実施形態に従ってどのように最適化された視聴フォーマットが選択されるかのいくつかの例を示した図である。図は全体的に参照番号３００によって参照される。図３００は、特定のアスペクト比、アスペクト比の範囲、およびその他の規定する特性を有するビデオデータの表示を各々が表している、４つの異なるビデオフォーマッティングシナリオを描いている。４つのビデオフォーマッティングシナリオの各々について３つのスクリーンビューが示されている：ノーマル視聴モード、フル視聴モードおよびズーム視聴モード。よって、スクリーンビューの４つの水平方向のグループの各々が、図３に描かれた４つの異なるビデオ表示シナリオの一つに対応する。
【００１６】
以下に詳細に説明されるように、本発明の例示的実施形態に従って動作するビデオシステムは、表示されているビデオコンテンツの生来のアスペクト比を決定し、ビデオコンテンツの生来のアスペクト比に少なくとも部分的に基づいて最適化された視聴モード（例えば、ノーマル視聴モード、フル視聴モードまたはズーム視聴モード）を選択するように適応されている。本発明の例示的実施形態では、ノーマル視聴モードは、表示スクリーンのアスペクト比に関係なくデータをその生来のアスペクト比で表示する。例示的なフル視聴モードでは、表示スクリーン全体が満たされるようにビデオデータが一つの軸（例えば水平または垂直）に沿って「引き延ばされる」。例示的なズーム視聴モードでは、表示スクリーン全体を満たしながらコンテンツのエリアを本質的に拡大するようにビデオデータが両軸（例えば、水平および垂直）に沿って引き延ばされても良い。例示的ズーム視聴モードでは、ビデオデータはフル視聴モードにおいてよりもいくつかの場合には少なく歪められるが、絵が対抗する軸に沿って拡大されることを許容するように余分なビデオデータを切り取ることのために元のビデオデータの全部が表示されないかもしれない。例えば、表示パネル全体を満たすように画像が水平軸に沿って拡大されるにつれて、ビデオデータが上下から切り取られても良い。
【００１７】
最適化された視聴フォーマットとして選択された視聴フォーマットは、特定のビデオシステムの表示パネルのアスペクト比に依存して変動しても良い。例えば、最適化された視聴フォーマットは、４：３のアスペクト比をもった表示パネルを有するビデオシステムにおいては、１６：９のアスペクト比をもった表示パネルを有するビデオシステムにおいてそうであろうものとは同じではないかもしれない。図３に示された全てのスクリーンビューは、１６：９のアスペクト比を有する表示スクリーン上にどのようにビデオデータが表示されるであろうかを表す。これは、表示スクリーン２１０（図２）のアスペクト比に対応する。どの視聴モードが最適化された視聴モードとして選択されるかの決定は、どの利用可能な視聴モードが最も少ない量の歪みを提供しながらビデオデータで表示パネルの殆どを満たすことに結果としてなるであろうかに基づいていても良いことが、当業者には理解されるであろう。
【００１８】
本発明の例示的実施形態では、プロセッサ２００（図２）は、表示されているビデオデータのアスペクト比を自動的に読み出すように適応されても良い。例えば、アスペクト比は情報ファイル２０６（図２）から読み出されても良い。他の例示的実施形態では、表示されているビデオデータの生来のアスペクト比が、当業者に周知であるあらゆる好適な方法によって決定されても良い。
【００１９】
第一のビデオフォーマッティングシナリオ３０２は、４：３の生来のアスペクト比を有する画像データのフォーマッティングに関する。このタイプのビデオコンテンツは、別のアスペクト比で作り出されて、後に当業者に「パンアンドスキャン」フォーマッティングとして知られるテクニックを使って処理されていても良いビデオデータを含む。パンアンドスキャンフォーマッティングでは、４：３のアスペクト比を有するビデオコンテンツを作成するのに、異なる（通常はより幅が広い）フォーマットでのビデオデータから、ビデオコンテンツの４：３ウィンドウが選択される。第一のビデオシナリオ３０２のノーマルビューは、もし、ビデオ情報がその生来の４：３のアスペクト比のフォーマットで表示されれば１６：９のアスペクト比を有するディスプレイ上に表示されるであろう画像エリアのスクリーンビューを示す。図３に示されるように、このノーマルビューは、スクリーンの左右両側においてビデオ画像コンテンツの無い黒い境界に結果としてなるであろう。
【００２０】
第一のビデオフォーマッティングシナリオ３０２についてのフルビューでは、画像は、それが１６：９ディスプレイ全体を占めるように水平に引き延ばされる。この水平引き延ばしは、対応する垂直引き延ばしが画像上では行われないので、中位の画像歪みに結果としてなる。
【００２１】
第一のビデオフォーマッティングシナリオのズームビューでは、第一のビデオフォーマッティングシナリオ３０２についてのズームビュー中に矢印で示されるように、いくつかのビデオ情報がディスプレイから切り取られるようにフル画像が垂直に引き延ばされる。追加の垂直引き延ばしを行うことによって、フルビューに対して画像歪みが削減される。
【００２２】
本発明の例示的実施形態は、もし表示されているビデオコンテンツが４：３の生来のアスペクト比を有し、もしビデオシステムの表示パネルが１６：９であれば、ズーム視聴モードを最適化された視聴モードとして選択するように適応されている。４：３の生来のアスペクト比を有するビデオコンテンツを、最適化された視聴モードとしてズームモードで自動的に表示することによって、表示スクリーン全体を満たしフル視聴モードに対して比較的低い歪みを有する絵がユーザに提供される。よって、本発明の例示的実施形態は、ユーザが複数の選択肢から視聴モードを手動で選択することを要求することなく、最適化された表示を提供する。発明の代替的実施形態では、ユーザは、視聴モードの好みに関する入力を提供する機会を与えられても良い。例えば、ユーザは生来のアスペクト比に関係なく全てのビデオを表示するのに使われるべき特定の視聴モードを選択することを許容され得る。別の例として、ユーザは、「最も少ない歪み」または「最大のスクリーン利用」のような選択肢のグループから選択された好みを入力することを許容され得る。
【００２３】
第二のビデオフォーマッティングシナリオ３０４は、１．６６：１から２．３５：１の範囲内の生来のアスペクト比を有し、加えてノンアナモルフィックフォーマットであるビデオのフォーマッティングに関する。そのようなビデオフォーマッティングは、ワイドスクリーンノンアナモルフィックビデオフォーマッティングとして記載されてもよい。口語的な用語では、このタイプのフォーマッティングは時々「レターボックスト」フォーマッティングと呼ばれる。
【００２４】
第二の表示フォーマッティングシナリオ３０４のノーマルビューでは、画像全体が表示されるが、ビデオデータを含まない境界がスクリーンの全サイド上にある。第二のビデオフォーマッティングシナリオ３０４のフル視聴モードでは、画像は、それがディスプレイの水平レンジ全体を占めるように水平に引き延ばされる。にも拘らず、ビデオデータを持たない境界がスクリーンの上下にまだあり、中位から高い画像歪みに結果としてなる。第二のビデオフォーマッティングシナリオ３０４のズームビューでは、ズームビュー中の矢印で示されるように、フルビューで提示されるであろうビデオデータが垂直に引き延ばされる。第二のビデオフォーマッティングシナリオ３０４のズームビューはよって、低いから中位の画像歪みをもったフルビデオ表示を視聴者に提示する。
【００２５】
本発明の例示的実施形態は、もし表示されているビデオコンテンツがノンアナモルフィックで１．６６：１から２．３５：１の範囲内の生来のアスペクト比を有し、もしビデオシステムの表示パネルが１６：９であれば、ズーム視聴モードを最適化された視聴モードとして選択するように適応されている。それらの特性をもったビデオコンテンツを、最適化された視聴モードとしてズームモードで自動的に表示することによって、表示スクリーン全体を満たしフル視聴モードに対して比較的低い歪みを有する絵がユーザに提供される。
【００２６】
第三のビデオフォーマッティングシナリオ３０６は、１．６６：１から１．８５：１の範囲内のアスペクト比を有し、アナモルフィックフォーマットであるメディアコンテンツのフォーマッティングに関する。そのようなビデオコンテンツは、典型的にはワイドスクリーンアナモルフィックビデオコンテンツと呼ばれる。第三のビデオフォーマッティングシナリオ３０６のノーマルビューでは、内向きの矢印で示されるように、ワイドスクリーンアナモルフィックビデオデータは水平に押し潰されたように見える。結果は、中位の画像歪みと、ディスプレイの左右側に沿ったビデオ情報を含んでいない帯となる。
【００２７】
第三のビデオフォーマッティングシナリオ３０６のフルビューでは、アナモルフィックワイドスクリーンビデオデータは、それがディスプレイ全体を占めるようにノーマルビューに対して水平に引き延ばされる。結果は、表示スクリーン全体を満たす歪みの無い画像となる。第三のビデオフォーマッティングシナリオ３０６のズームビューでは、矢印で示されるように、いくつかのビデオ情報がディスプレイから切り取られるようにフル画像が垂直に引き延ばされる。本発明の例示的実施形態では、プロセッサ２００（図２）が、１．６６：１から１．８５：１の範囲内の生来のアスペクト比を有するワイドスクリーンアナモルフィックビデオコンテンツについては最適化された視聴モードとしてフルビューを自動的に表示するように適応されても良い。このようにして、画像歪みの無い完全に満たされたビデオスクリーンが視聴者に自動的に提示される。
【００２８】
第四のビデオフォーマッティングシナリオ３０８は、２．３５：１のアスペクト比を有するアナモルフィックビデオコンテンツのフォーマッティングに関する。第四のビデオフォーマッティングシナリオ３０８のノーマルビューでは、内向きの矢印で示されるように、画像は水平に押し潰されたように見える。結果は、両側および上下に境界を有する非常に歪んだビデオ画像となる。第四のビデオフォーマッティングシナリオ３０８のフルビューでは、生来の画像は、それが画像歪み無しで表示されるように水平に引き延ばされる。これはにも拘わらず、スクリーンの上下エッジに沿ってビデオコンテンツの無い境界を残す。第四のビデオフォーマッティングシナリオ３０８のズームビューでは、それがスクリーン全体を満たすまでフル画像が垂直に引き延ばされる。これは低いレベルの画像歪みに結果としてなる。
【００２９】
２．３５：１の生来のアスペクト比を有するアナモルフィックビデオデータについては、本発明の例示的実施形態が、フル視聴モードまたはズーム視聴モードのどちらかをシステム設計的考慮に基づいて最適化された視聴モードとして自動的に選択するように適応されても良い。最適化された視聴モードとしてフル視聴モードを選択することは、歪みをもたないが表示スクリーン全体を満たさない画像に結果としてなる。最適化された視聴モードとしてズームモードを選択することは、ビデオパネル全体を満たすがいくらかの量の歪みをもった画像を作成する。発明が適用されるビデオシステムの表示パネルのアスペクト比は、それらの条件下において最適化された視聴モードの選択に影響を与え得ることが当業者には理解されるであろう。
【００３０】
図４は、本発明の例示的実施形態に従った方法のプロセスフロー図である。方法は全体的に参照番号４００によって参照される。
【００３１】
ブロック４０２において、プロセスが開始される。ブロック４０４において、表示されるべきビデオコンテンツの生来のアスペクト比が決定される。上で説明したように、アスペクト比は、.ifoファイルのような情報ファイル２０６（図２）から読み出されても、あるいはあらゆるその他の好適な方法によって決定されても良い。
【００３２】
ブロック４０６において、ビデオコンテンツの生来のアスペクト比に少なくとも部分的に基づいて、複数の視聴フォーマット中から最適化された視聴フォーマットが選択される。図３を参照して上述された本発明の例示的実施形態では、最適化された視聴モードは、ノーマル視聴モード、フル視聴モードまたはズーム視聴モードに決定される。表示されるべきビデオコンテンツの生来のアスペクト比に加えて、その他のファクターが考慮されても良い。最適化された視聴モードの選択に影響を与え得るその他のファクターの例には、表示されるべきビデオデータがアナモルフィックであるかノンアナモルフィックであるかが含まれる。
【００３３】
ブロック４０８において、ビデオデータが最適化された視聴フォーマットで表示される。ブロック４１０において、プロセスが終了する。
【００３４】
発明は様々な変形や代替的な形を受け入れ得る一方で、特定の実施形態が例として図中に示され、ここに詳細に記載される。しかしながら、発明は開示された特定の形に限定されることを意図されていないことが理解されるべきである。寧ろ、発明は、以下の添付された請求項によって規定された発明の精神と範囲内に入る全ての変形、同等物および代替物をカバーするものである。
【図１】
0005552479.tif 000002
【図２】
0005552479.tif 000003
【図３】
0005552479.tif 000004
【図４】
0005552479.tif 000005